(57)【要約】  本発明は、応急運転スイッチを備え、衛生的且つ清掃の容易な空気調和機を得ることを目的とする。  応急運転スイッチ（５０）は、室内機の筐体を構成する前面パネル（１１１ａ）の外面から突出した中実構造のパネル外面突起部（５１）と、パネル外面突起部（５１）と対向する位置から室内機の内部側に突出したパネル内面突出部（５２）と、パネル内面突出部（５２）の先端部に設けられて導電性を有するパネル側接点（５３）と、筐体の内部に収納された制御基板（３０）の前面パネル（１１１ａ）に対向する一面においてパネル側接点（５３）に対向する位置にパネル側接点（５３）と離間して設けられて、互いに絶縁状態とされた第１接点部（５６）と第２接点部（５７）とからなる導電性を有する基板側接点（５５）と、を有する。
2019058556.tif 000002
【特許請求の範囲】
【請求項１】
室内に配置されて調和空気を室内に送風する室内機を備えた空気調和機であって、  前記空気調和機の起動および運転停止を制御する制御部と、  前記空気調和機の起動および運転停止の操作が可能な応急運転スイッチと、  を備え、  前記応急運転スイッチは、  前記室内機の筐体を構成するパネルの外面から突出した中実構造のパネル外面突起部と、  前記パネル外面突起部と対向する位置から前記室内機の内部側に突出したパネル内面突出部と、  前記パネル内面突出部の先端部に設けられて導電性を有するパネル側接点と、  前記筐体の内部に収納された基板の前記パネルに対向する一面において前記パネル側接点に対向する位置に前記パネル側接点と離間して設けられて、互いに絶縁状態とされた第１接点部と第２接点部とからなる導電性を有する基板側接点と、  を有し、  前記パネル外面突起部が前記基板側に押圧されることによって前記パネル側接点が前記パネル内面突出部とともに前記基板側に移動して前記第１接点部と前記第２接点部とに接触すること、  を特徴とする空気調和機。
【請求項２】
前記第１接点部と前記第２接点部とは、ジャンパー線によって構成されていること、  を特徴とする請求項１に記載の空気調和機。
【請求項３】
前記パネル内面突出部の前記基板側への移動に対応して変形してクリック感を発生させるクリック感発生部を有すること、  を特徴とする請求項１または２に記載の空気調和機。
【請求項４】
前記パネル内面突出部は、前記パネル外面突起部が前記基板側接点に接触した際に前記パネル外面突起部から前記基板に加わる外力を緩和可能な外力緩和体によって構成されていること、  を特徴とする請求項１から３のいずれか１つに記載の空気調和機。
【発明の詳細な説明】
【技術分野】
【０００１】  本発明は、応急運転スイッチを有する空気調和機に関する。
【背景技術】
【０００２】  空気調和機には、据え付け設置時の動作確認を行うため、またはリモートコントローラが無い場合に空気調和機を運転させるために、応急運転スイッチが取り付けられている。応急運転スイッチは、前述の使用用途に用いられるため、操作性を考慮して、一般的に空気調和機の意匠パネルの前面に設けられている。【０００３】  電子機器のスイッチとして、特許文献１には、リモートコントローラのケースの上面のスイッチパネルに設けられたスイッチ操作部と、ケース内に収容された基板側接点が配設された基板と、を備えて構成されたスイッチが開示されている。スイッチ操作部における外周縁部には、スイッチパネルを厚み方向に貫通する螺旋状の溝が形成されている。そして、スイッチ操作部の中心部が基板側に押圧されると、螺旋状の溝が形成されたスイッチ操作部が変形して、スイッチ操作部の裏面に配設されたスイッチパネル側接点がケースの内部側に移動し、基板の上面に配設された基板側接点と接触する。
【先行技術文献】
【特許文献】
【０００４】
【特許文献１】特開平９−９７５２５号公報
【発明の概要】
【発明が解決しようとする課題】
【０００５】  しかしながら、空気調和機の周囲には空気流が多く流れるため、上記特許文献１のスイッチは、スイッチの場所によっては螺旋状の溝に埃が溜まる可能性がある。螺旋状の溝に埃が溜まると、衛生的に好ましくないうえ、溝が細いため清掃の手間がかかるという問題があった。このため、特許文献１のスイッチは、空気調和機の応急運転スイッチには適していない。【０００６】  本発明は、上記に鑑みてなされたものであって、応急運転スイッチを備え、衛生的且つ清掃の容易な空気調和機を得ることを目的とする。
【課題を解決するための手段】
【０００７】  上述した課題を解決し、目的を達成するために、本発明にかかる空気調和機は、室内に配置されて調和空気を室内に送風する室内機を備えた空気調和機であって、空気調和機の起動および運転停止を制御する制御部と、空気調和機の起動および運転停止の操作が可能な応急運転スイッチと、を備える。応急運転スイッチは、室内機の筐体を構成するパネルの外面から突出した中実構造のパネル外面突起部と、パネル外面突起部と対向する位置から室内機の内部側に突出したパネル内面突出部と、パネル内面突出部の先端部に設けられて導電性を有するパネル側接点と、筐体の内部に収納された基板のパネルに対向する一面においてパネル側接点に対向する位置にパネル側接点と離間して設けられて、互いに絶縁状態とされた第１接点部と第２接点部とからなる導電性を有する基板側接点と、を有する。パネル外面突起部が基板側に押圧されることによってパネル側接点がパネル内面突出部とともに基板側に移動して第１接点部と第２接点部とに接触する。
【発明の効果】
【０００８】  本発明にかかる空気調和機は、応急運転スイッチを備え、衛生的且つ清掃の容易な空気調和機が得られる、という効果を奏する。
【図面の簡単な説明】
【０００９】
【図１】本発明の実施の形態１にかかる空気調和機の構成を模式的に示す構成図
【図２】本発明の実施の形態１にかかる空気調和機の室内機の正面図
【図３】本発明の実施の形態１にかかる空気調和機の室内機の機能ブロック図
【図４】本発明の実施の形態１にかかる空気調和機にかかる応急運転スイッチの基板側接点が配設された制御基板の一面側の要部平面図
【図５】本発明の実施の形態１にかかる空気調和機における応急運転スイッチの未使用時における応急運転スイッチの断面図であり、前面パネルに垂直な面に沿った断面図
【図６】本発明の実施の形態１にかかる空気調和機における応急運転スイッチの使用時における応急運転スイッチの断面図であり、前面パネルに垂直な面に沿った断面図
【図７】本発明の実施の形態２にかかる空気調和機における応急運転スイッチの未使用時における応急運転スイッチの断面図であり、前面パネルに垂直な面に沿った断面図
【図８】本発明の実施の形態３にかかる空気調和機における応急運転スイッチの未使用時における応急運転スイッチの断面図であり、前面パネルに垂直な面に沿った断面図
【図９】本発明の実施の形態３にかかる空気調和機における応急運転スイッチの使用時における応急運転スイッチの断面図であり、前面パネルに垂直な面に沿った断面図
【図１０】本発明の実施の形態４にかかる空気調和機における応急運転スイッチの未使用時における応急運転スイッチの断面図であり、前面パネルに垂直な面に沿った断面図
【発明を実施するための形態】
【００１０】  以下に、本発明の実施の形態にかかる空気調和機を図面に基づいて詳細に説明する。なお、この実施の形態によりこの発明が限定されるものではない。
【００１１】実施の形態１．  図１は、本発明の実施の形態１にかかる空気調和機１０の構成を模式的に示す構成図である。図２は、本発明の実施の形態１にかかる空気調和機１０の室内機１１の正面図である。図３は、本発明の実施の形態１にかかる空気調和機１０の室内機１１の機能ブロック図である。本実施の形態１にかかる空気調和機１０は、筐体１１１を備えて室内に設置された室内機１１、室外に設置された室外機１２、室内機１１と室外機１２との間で冷媒を循環させるための冷媒管１３、および空気調和機１０に対する制御指示命令を室内機１１に送信するリモートコントローラ１４を備える。室外機１２は、図示しない通信線を介して室内機１１と通信可能とされている。
【００１２】  空気調和機１０は、１つの完結した冷凍サイクルを室内機１１と室外機１２とで形成している。空気調和機１０は、冷媒管１３を通って室内機１１と室外機１２との間を循環する冷媒を使用して、空調対象空間である室内の空気と室外の空気との間で熱移動を行い、室内に対する空気調和を実現している。すなわち、室内機１１と室外機１２とは冷媒管１３により接続されており、冷媒管１３中を流れる冷媒の圧力を室外機１２の備える圧縮機により変化させて冷媒の吸熱、放熱により空気調和を行う。
【００１３】  室内機１１は、室内に配置されて調和空気を室内に送風する。室内機１１は、室内側の熱交換器であり冷媒管１３が接続された室内機熱交換器２１と、室内機熱交換器２１を通過する気流を発生させる室内機ファン２２と、空気調和機１０の運転制御機能を備えた基板である制御基板３０と、が筐体１１１の中に収納されている。
【００１４】  制御基板３０には、空気調和機１０の動作を制御する制御部３１と、室内機１１の内部の構成部を動作させるための専用電源を生成する電源回路３２と、空気調和機１０の制御に用いられる各種の情報を記憶する記憶部３３と、リモートコントローラ１４および室外機１２と通信を行う室内機通信部３４と、が構成されている。
【００１５】  電源回路３２は、室内機１１の外部の外部電源４０から供給される電力を変換して室内機１１の内部の各構成部を動作させるための専用電源を生成する。電源回路３２は、室内機１１の内部の各構成部と電源線によって接続されている。なお、図３においては、一部の電源線を省略している。記憶部３３には、空気調和機１０における空調運転動作において用いられる各種の情報が記憶されている。室内機通信部３４は、リモートコントローラ１４から送信された情報を受信して制御部３１に送信し、また制御部３１から送信された情報をリモートコントローラ１４へ送信する。また、室内機通信部３４は、室外機１２と通信を行う。
【００１６】  制御部３１は、空気調和機１０の動作を制御する制御部であり、室内機１１および室外機１２の動作を制御することによって空気調和機１０の運転を制御する。制御部３１は、室内機通信部３４を介してリモートコントローラ１４と情報の伝送を行うことができる。制御部３１は、室内機通信部３４を介してリモートコントローラ１４から受信した指示情報、およびあらかじめ制御部３１または記憶部３３に記憶している情報といった、空気調和機１０の運転に関する各種情報に基づいて空気調和機１０の動作を制御する。
【００１７】  また、空気調和機１０は、正面視において、筐体１１１の前面パネル１１１ａにおける下側の領域に応急運転スイッチ５０が設けられている。空気調和機１０は、正面視において見える前面パネル１１１ａの下側の位置に応急運転スイッチ５０が配置されているため、必要な時に容易に応急運転スイッチ５０を押すことができる。
【００１８】  応急運転スイッチ５０とは、使用者が押すことで空気調和機１０を応急的に動作させることができるスイッチであり、空気調和機１０の起動および運転停止の操作が可能なスイッチである。応急運転スイッチ５０は、押すことによって、冷房運転起動、暖房運転起動、運転停止作業を操作でき、例えば、下記のような場合に使用することが考えられる。（１）リモートコントローラ１４の紛失時またはリモートコントローラ１４の電池切れでリモートコントローラ１４の操作ができない場合に空気調和機１０を動かす。（２）空気調和機１０の据え付け時の動作確認として空気調和機１０を動かす。（３）サービス部品交換時の動作確認として空気調和機１０を動かす。（４）空気調和機１０の取り外し時のポンプダウン、すなわち冷媒回収のために空気調和機１０を動かす。応急運転スイッチ５０を押すごとに、空気調和機１０の動作状態が、たとえば「応急冷房運転」→「応急暖房運転」→「停止」の順で切り替わる。
【００１９】  以下、図４から図６に基づいて、応急運転スイッチ５０の構成および動作について説明する。図４は、本発明の実施の形態１にかかる空気調和機１０にかかる応急運転スイッチ５０の基板側接点５５が配設された制御基板３０の一面３０ａ側の要部平面図である。図５は、本発明の実施の形態１にかかる空気調和機１０における応急運転スイッチ５０の未使用時における応急運転スイッチ５０の断面図であり、前面パネル１１１ａに垂直な面に沿った断面図である。図６は、本発明の実施の形態１にかかる空気調和機１０における応急運転スイッチ５０の使用時における応急運転スイッチ５０の断面図であり、前面パネル１１１ａに垂直な面に沿った断面図である。
【００２０】  応急運転スイッチ５０は、前面パネル１１１ａと、制御基板３０との２ヶ所に分割して設けられている。すなわち、図５に示すように前面パネル１１１ａには、応急運転スイッチ５０の一部である、前面パネル１１１ａの外面から前面パネル１１１ａの外側に垂直に突出した円柱形状のパネル外面突起部５１と、前面パネル１１１ａの内面から室内機１１の内部側に向かって垂直に突出した円柱形状のパネル内面突出部５２と、パネル内面突出部５２の先端部に設けられた導電性を有する円盤形状のパネル側接点５３と、パネル外面突起部５１とパネル内面突出部５２とに挟まれたパネル部５４と、が前面パネル１１１ａに設けられている。また、図５に示すように、制御基板３０には、応急運転スイッチ５０の使用時に応急運転スイッチ５０と接触する制御基板３０側の接点である導電性を有する基板側接点５５が設けられている。
【００２１】  パネル外面突起部５１は、応急運転スイッチ５０の位置を示す位置表示部であるとともに、応急運転スイッチ５０を使用する際に使用者が押圧する押圧部でもある。パネル外面突起部５１は、前面パネル１１１ａと一体に形成されており、樹脂材料の射出成形による前面パネル１１１ａの形成時に同時に形成される。空気調和機１０は、前面パネル１１１ａの外面から突出したパネル外面突起部５１を備えるため、使用者が前面パネル１１１ａを見た際に容易に応急運転スイッチ５０を見つけることができる。また、パネル外面突起部５１を備えるため、使用者が応急運転スイッチ５０を使用する際に前面パネル１１１ａを触ることで容易に応急運転スイッチ５０を見つけることができる。また、パネル外面突起部５１は、中実とされており、表面に開口および孔が設けられていない。ここで、中実とは、表面に開口および孔が設けられていないことを含む。このため、応急運転スイッチ５０の外面は、前面パネル１１１ａを拭き清掃する際にパネル外面突起部５１を拭くだけで清掃できるため、清掃が容易であり、前面パネル１１１ａを衛生的に保つことが容易である。
【００２２】  パネル内面突出部５２は、前面パネル１１１ａの面内において前面パネル１１１ａを挟んでパネル外面突起部５１と対向する位置に設けられている。パネル内面突出部５２は、前面パネル１１１ａと一体に形成されており、樹脂材料の射出成形による前面パネル１１１ａの形成時に同時に形成される。
【００２３】  パネル側接点５３は、応急運転スイッチ５０の使用時に基板側接点５５と接触する前面パネル１１１ａ側の接点である。パネル側接点５３は、導電性材料からなり、パネル内面突出部５２の先端部、すなわち円柱形状のパネル内面突出部５２の底面に固定されている。パネル側接点５３を構成する導電性材料は、導電性を有する材料であれば特に限定されず、金属材料、導電性のシリコン系樹脂および導電性プラスチックといった導電性を有する各種の材料が用いられる。また、パネル側接点５３のパネル内面突出部５２への固定方法は、パネル内面突出部５２の底面にパネル側接点５３を固定可能であれば特に限定されず、接着剤またははめ込みによる固定方法といった方法が使用可能である。
【００２４】  また、応急運転スイッチ５０においては、図５に示すように、制御基板３０において前面パネル１１１ａに対向する一面３０ａにおける、パネル側接点５３と対向する位置に基板側接点５５が設けられている。前面パネル１１１ａにおける応急運転スイッチ５０が設けられた領域および応急運転スイッチ５０の周辺の領域の面内方向と、制御基板３０の面内方向とは、平行とされている。
【００２５】  制御基板３０は、プリント配線と搭載部品とから構成されるプリント回路が構成されたプリント回路板である。制御基板３０には、図示しない配線パターンが形成されており、配線パターンを露出させる必要のある領域を除いて、全面が図４に示すようにソルダーレジスト３６により被覆されている。すなわち、制御基板３０には、基板側接点５５だけではなく、基板側接点５５に接続する配線および上述した制御部３１、電源回路３２、記憶部３３および室内機通信部３４を実現するための回路といった、空気調和機１０の運転に必要な各種の電気回路が実装されているが図示および説明を省略している。また、図５以降の図においては、ソルダーレジスト３６の図示を省略している。
【００２６】  基板側接点５５は、導電材料からなり平面視において長方形状を有する２つの接点部である、第１接点部５６と第２接点部５７とによって構成されている。第１接点部５６と第２接点部５７とは、第１接点部５６と第２接点部５７との長手方向に沿って平行に、且つ離間して設けられている。また、第１接点部５６と第２接点部５７とは、制御基板３０の一面３０ａからの高さが同じ高さとされている。
【００２７】  第１接点部５６と第２接点部５７とは、制御基板３０の一面３０ａに設けられたランド３５に印刷されたクリームはんだによって構成されている。すなわち、第１接点部５６と第２接点部５７とは、制御基板３０の基板パターンの一部として形成されている。このランド３５には、制御基板３０の一面３０ａに設けられた応急運転スイッチ５０用の配線の一部が露出している。第１接点部５６と第２接点部５７との各々は、異なるランド３５に設けられている。したがって、第１接点部５６と第２接点部５７との各々は、異なる配線に電気的に接続されている。すなわち、応急運転スイッチ５０の未使用時においては、第１接点部５６と第２接点部５７とは、互いに電気的に絶縁状態とされている。そして、応急運転スイッチ５０の使用時においては、パネル側接点５３が第１接点部５６と第２接点部５７との両方に接触することにより、第１接点部５６と第２接点部５７とが、パネル側接点５３を介して導通する。
【００２８】  つぎに、上記のように構成された応急運転スイッチ５０の動作について説明する。まず、図５に示すような応急運転スイッチ５０の未使用状態において、矢印Ａで示すように室内機１１の内部側、すなわち制御基板３０側にパネル外面突起部５１が押圧されると、前面パネル１１１ａにおける応急運転スイッチ５０の周辺の領域が制御基板３０側に向かって撓んで変形する。
【００２９】  これにより、図６に示すように、パネル側接点５３が、パネル内面突出部５２とともに制御基板３０側に向かって移動して、制御基板３０の一面３０ａに配設された基板側接点５５の第１接点部５６と第２接点部５７との両方に接触する。この結果、基板側接点５５を構成する第１接点部５６と第２接点部５７とが、パネル側接点５３を介して導通し、制御基板３０上の図示しない回路が閉状態となり、制御部３１から既定の命令信号が空気調和機１０内における制御対象に伝達されることになる。
【００３０】  なお、応急運転スイッチ５０は、命令信号の送信および命令信号の送信の停止の切り替えを行うが、第１接点部５６と第２接点部５７とが電気的に接続される命令信号の送信元および命令信号の送信先は、制御部３１による応急運転の制御方法によって任意に設定可能である。したがって、基板側接点５５を構成する第１接点部５６と第２接点部５７とが、パネル側接点５３を介して導通し、制御基板３０上の図示しない回路が閉状態となることで、閉状態となった回路から制御部３１に対して応急運転を指示する命令信号が伝達される形態を実施可能である。
【００３１】  すなわち、応急運転スイッチ５０は、応急運転を指示する命令信号の制御部３１からの送信の実施または不実施を切り替え可能である。また、応急運転スイッチ５０は、応急運転を指示する命令信号の制御部３１への送信の実施または不実施を切り替え可能である。したがって、応急運転スイッチ５０は、空気調和機１０の起動および運転停止の操作が可能なスイッチである。
【００３２】  上記のように構成された空気調和機１０は、空気調和機１０の外部に露出したパネル外面突起部５１が中実構造とされている。すなわち、前面パネル１１１ａにおける応急運転スイッチ５０の配設領域および応急運転スイッチ５０の周辺領域には開口および孔が設けられていない。このため、空気調和機１０は、前面パネル１１１ａを拭き清掃する際にパネル外面突起部５１を一緒に拭くだけで応急運転スイッチ５０の外面を清掃できるため、応急運転スイッチ５０の清掃が容易であり、前面パネル１１１ａを衛生的に保つことが容易である。
【００３３】  また、空気調和機１０は、空気調和機１０の設置時およびその後のメンテナンス時における前面パネル１１１ａの取り付けおよび取り外しにおいて、前面パネル１１１ａに不慮の応力が加わった場合でも、前面パネル１１１ａにおける応急運転スイッチ５０の配設領域および応急運転スイッチ５０の周辺領域が、開口および孔の存在による機械的強度の低下に起因して破損することがなく、また応急運転スイッチ５０が壊れることがない。
【００３４】  また、応急運転スイッチ５０は、室内機１１の筐体１１１の内部に収納された制御基板３０の一面３０ａ上に基板側接点５５が配設されるとともに、前面パネル１１１ａの内面における基板側接点５５と対向する位置にパネル内面突出部５２およびパネル側接点５３が配設されて構成されている。これにより、空気調和機１０は、簡略な構成で、応急運転スイッチ５０を実現することが可能とされている。
【００３５】  また、基板側接点５５の第１接点部５６と第２接点部５７とは、クリームはんだによって構成されているため、制御基板３０における他の電子部品の実装工程において同時に形成することが可能とされている。これにより、空気調和機１０は、応急運転スイッチ５０の製造工程の簡略化および応急運転スイッチ５０の製造に要するコストの低減が可能とされている。
【００３６】  応急運転スイッチ５０は、上述したように、リモートコントローラ１４の紛失時またはリモートコントローラ１４の電池切れでリモートコントローラ１４の操作ができない場合、空気調和機の据え付け時の動作確認時、サービス部品交換時の動作確認時、空気調和機の取り外し時といったごく限られた条件での一時的な使用のみに限られており、使用頻度は非常に少ない。そして、実際には、応急運転スイッチ５０の使用は、空気調和機の据え付け時の動作確認時の１回で終わることがほとんどである。したがって、応急運転スイッチ５０は、機能的に必要なスイッチであるが、空気調和機の据え付け時以降は実質的に無駄なスイッチとなっている。
【００３７】  そして、応急運転スイッチ５０は、一般的にタクタイルスイッチが用いられることが多い。タクタイルスイッチの主な構成要素には、カバー、プランジャ、反転ばね、ベース、およびベースに含まれる端子がある。しかし、これらの構成要素は、全て個別に作製されて組み立てられるため、部品単価が高くなり、応急運転スイッチ５０の製造工程の複雑化および応急運転スイッチ５０の製造に要するコストの増加の要因となる。
【００３８】  しかしながら、空気調和機１０の応急運転スイッチ５０においては、上述したようにパネル外面突起部５１およびパネル内面突出部５２は、前面パネル１１１ａと同時に一体に形成可能である。また、基板側接点５５は、制御基板３０における他の電子部品の実装工程において同時に形成することが可能である。したがって、空気調和機１０の応急運転スイッチ５０は、大半の部品が他の部品の製造時または組み立て時に、他の部品の製造または組み立てに用いられる材料を用いて他の部品と同時に形成可能であり、応急運転スイッチ５０の製造工程の簡略化および応急運転スイッチ５０の製造に要するコストの低減が可能とされている。
【００３９】  また、応急運転スイッチ５０における第１接点部５６と第２接点部５７との間の間隔は、応急運転スイッチ５０の未使用時において電気的に絶縁された状態が保持可能な範囲で、短くすることが可能である。これにより、制御基板３０の一面３０ａにおける基板側接点５５の専有面積を極力狭くすることが可能であり、制御基板３０の一面３０ａの面内に空きスペースを広く確保することが可能である。したがって、応急運転スイッチ５０を用いることにより、制御基板３０の一面３０ａにおける電子部品の配置の設計および配線の配置の設計の自由度が向上し、制御基板３０の一面３０ａの有効活用が可能である。また、回路設計における制御基板３０の一面３０ａの有効活用が可能となるため、制御基板３０の小型化も可能となる。
【００４０】  なお、上記においては第１接点部５６と第２接点部５７とをクリームはんだによって構成する場合について示したが、第１接点部５６と第２接点部５７との構成材料はクリームはんだに限定されない。すなわち、上述した応急運転スイッチ５０の機能を実現可能であれば、他の導電材料からなる接点を第１接点部５６と第２接点部５７とに用いることも可能である。
【００４１】  また、上記においてはパネル外面突起部５１とパネル内面突出部５２とが円柱形状を有し、パネル側接点５３が円盤形状を有する場合について示したが、パネル外面突起部５１とパネル内面突出部５２とパネル側接点５３との形状は限定されない。同様に、上記においては基板側接点５５の第１接点部５６と第２接点部５７とが平面視において長方形状を有する場合について示したが、第１接点部５６と第２接点部５７との形状は限定されない。
【００４２】  また、上記においては、パネル外面突起部５１およびパネル内面突出部５２は、前面パネル１１１ａと同時に一体に形成される場合について示したが、パネル外面突起部５１およびパネル内面突出部５２を前面パネル１１１ａと別部品とすることも可能である。すなわち、パネル外面突起部５１およびパネル内面突出部５２を前面パネル１１１ａと別部品として、前面パネル１１１ａの作成後にパネル外面突起部５１およびパネル内面突出部５２を前面パネル１１１ａに取り付けてもよい。この場合は、同一使用の筐体１１１を用いつつ、筐体１１１の内部の配置の仕様変更によって制御基板３０の配置位置が変更になる場合でも、前面パネル１１１ａに対するパネル外面突起部５１およびパネル内面突出部５２の取り付け位置を変更すればよく、複数の製品仕様に対応して容易に対応可能である。したがって、パネル外面突起部５１およびパネル内面突出部５２を前面パネル１１１ａと別部品とすることで、上述した応急運転スイッチ５０の効果を得るとともに、複数の製品において筐体１１１とパネル外面突起部５１とパネル内面突出部５２とを共用することが可能である。
【００４３】  したがって、本実施の形態１にかかる空気調和機１０によれば、応急運転スイッチ５０を備え、衛生的且つ清掃の容易な空気調和機が実現可能である、という効果を奏する。
【００４４】実施の形態２．  本実施の形態２では、基板側接点５５にジャンパー線を使用する形態について説明する。図７は、本発明の実施の形態２にかかる空気調和機における応急運転スイッチ６０の未使用時における応急運転スイッチ６０の断面図であり、前面パネル１１１ａに垂直な面に沿った断面図である。本実施の形態２にかかる空気調和機は、実施の形態１にかかる空気調和機１０の変形例であり、応急運転スイッチの基板側接点５５としてクリームはんだの代わりにジャンパー線を使用する点が実施の形態１にかかる空気調和機１０と異なる。
【００４５】  応急運転スイッチ６０は、第１接点部５６の代わりにジャンパー線６１が設けられ、第２接点部５７の代わりにジャンパー線６２が設けられている。ジャンパー線６１およびジャンパー線６２は、一端側の先端の端子部が制御基板３０の一面３０ａ側に配置されている。そして、ジャンパー線６１およびジャンパー線６２の他端は、制御基板３０に設けられたホール３０ｃを介して制御基板３０の他面３０ｂ側に引き出されている。すなわち、ジャンパー線６１およびジャンパー線６２は、制御基板３０の一面３０ａ側から制御基板３０の他面３０ｂ側に引き出されている。これにより、応急運転スイッチ６０は、応急運転スイッチ５０と同様の機能を実現している。ホール３０ｃには、制御基板３０の一面３０ａ側と制御基板３０の他面３０ｂ側とを電気的に接続するスルーホールと、制御基板３０の一面３０ａ側と制御基板３０の他面３０ｂ側とを電気的に接続しないノンスルーホールと、のいずれも使用可能である。
【００４６】  制御基板３０において、上述した空気調和機１０の運転に必要な各種の電気回路が、前面パネル１１１ａ側と反対側の面である他面３０ｂに形成されている場合を考える。上述した実施の形態１にかかる応急運転スイッチ５０は、制御基板３０における前面パネル１１１ａ側の面である制御基板３０の一面３０ａ側に、応急運転スイッチ５０の基板側接点５５としてはんだといった導電材料を用いる構成とされている。この場合は、各種の電気回路と基板側接点５５とが制御基板３０における異なる面に形成される。このため、制御基板３０は、基板の両面に電気回路が実装される両面基板でしか構成できない。すなわち、実施の形態１にかかる応急運転スイッチ５０は、制御基板３０の一面３０ａとなる面にリフローはんだ付けが可能であるとともに制御基板３０の他面３０ｂとなる面にフローはんだ付けが可能な両面基板、または制御基板３０の一面３０ａとなる面および制御基板３０の他面３０ｂとなる面の両面にはんだ付けが可能な両面基板を用いることでしか構成できない。これに対して本実施の形態２にかかる応急運転スイッチ６０では、ジャンパー線６１およびジャンパー線６２が、制御基板３０の一面３０ａ側から制御基板３０の他面３０ｂ側にホール３０ｃを介して引き出されている。このため、制御基板３０の一面３０ａ側には、ジャンパー線６１およびジャンパー線６２が電気的に接続される引き回し配線が不要である。したがって、本実施の形態２にかかる応急運転スイッチ６０は、基板の両面のうち制御基板３０の他面３０ｂとなる片面にしか電気回路が実装されない片面基板を用いることでも構成でき、リフローはんだが適用不可能な片面基板でも構成できる。
【００４７】  上述したように、本実施の形態２にかかる空気調和機は、第１接点部５６の代わりにジャンパー線６１が使用され、第２接点部５７の代わりにジャンパー線６２が使用されているため、リフローはんだが適用不可能な片面基板でも生産が可能である。
【００４８】実施の形態３．  上述した実施の形態１および実施の形態２に示した応急運転スイッチは、応急運転スイッチを使用した際に、使用者が応急運転スイッチを押したことが分かるようなクリック感を得られない。本実施の形態３では、応急運転スイッチを使用した際にクリック感を得られる応急運転スイッチについて説明する。
【００４９】  図８は、本発明の実施の形態３にかかる空気調和機における応急運転スイッチ７０の未使用時における応急運転スイッチ７０の断面図であり、前面パネル１１１ａに垂直な面に沿った断面図である。図９は、本発明の実施の形態３にかかる空気調和機における応急運転スイッチ７０の使用時における応急運転スイッチ７０の断面図であり、前面パネル１１１ａに垂直な面に沿った断面図である。本実施の形態３にかかる空気調和機は、実施の形態１にかかる空気調和機１０の変形例であり、使用者が応急運転スイッチ７０を押した際にクリック感を発生させるクリック感発生部を有する応急運転スイッチ７０を備える点が実施の形態１にかかる空気調和機１０と異なる。
【００５０】  本実施の形態３にかかる応急運転スイッチ７０は、パネル内面突出部５２およびパネル側接点５３の制御基板３０側への移動に対応して変形してクリック感を発生させる弾性体からなるクリック感発生部を有する。クリック感発生部は、使用者により応急運転スイッチ７０のパネル外面突起部５１が押されてパネル内面突出部５２に矢印Ａの方向のある程度の力が加わった際に、クリック感発生部の構成部の構造体の変形作用によって使用者へクリック感を伝える。クリック感発生部によるクリック感は、クリック感発生部のみで発生されるクリック感であり、制御部３１での処理を介さない応答であるので、使用者に対して素早くクリック感による応答を返すことができる。
【００５１】  本実施の形態３にかかる応急運転スイッチ７０は、クリック感を発生させる弾性体として板ばね７１を有している。板ばね７１は、一端が前面パネル１１１ａの内面に固定されており、他端がパネル内面突出部５２の外周面に固定されている。板ばね７１は、図８に示すように応急運転スイッチ７０の未使用時において、一端から他端に向かう長手方向の中央部分がパネル内面突出部５２の根本方向に沿った形状を有する。そして、板ばね７１は、長手方向の中央部分が図８に示す矢印Ｂの方向に移動する変形が可能とされている。本実施の形態３においては、前面パネル１１１ａの面内方向に平行な方向において、パネル内面突出部５２を挟んで対向する位置の各々に板ばね７１が配置されている。
【００５２】  板ばね７１は、図９に示すように応急運転スイッチ７０の使用時には、パネル内面突出部５２およびパネル側接点５３の制御基板３０側への移動に対応して長手方向の中央部分が矢印Ｂの方向において制御基板３０側へ変形することで、クリック感を発生させる。板ばね７１は、たとえばパネル側接点５３が基板側接点５５の第１接点部５６と第２接点部５７との両方に接触した時点で、矢印Ｂの方向における平面の反りの方向が反転する。
【００５３】  すなわち、板ばね７１の一端は前面パネル１１１ａの内面に固定されており、他端はパネル内面突出部５２の外周面に固定されているため、パネル内面突出部５２が制御基板３０側へ移動することで板ばね７１は長手方向における両端側に引っ張られる。これにより、長手方向の中央部分には、矢印Ｂの方向において制御基板３０側へ引っ張る力が掛かり、ある程度の力が掛かった時点で矢印Ｂの方向における板ばね７１の平面の反りの方向が反転する。
【００５４】  そして、板ばね７１の反りの方向が反転する際の板ばね７１の変形力が使用者へ伝わることで、クリック感を発生させる。使用者は、このクリック感により、応急運転スイッチ７０が動作したことを容易に認識することができる。
【００５５】  なお、板ばね７１がクリック感を発生させるタイミングは、パネル側接点５３が基板側接点５５の第１接点部５６と第２接点部５７との両方に接触した時点に限定されない。板ばね７１がクリック感を発生させるタイミングは、パネル内面突出部５２に対して矢印Ａの方向のある程度の力が加わったタイミングとされてもよい。
【００５６】  上述したように、本実施の形態３にかかる空気調和機は、クリック感発生部を有する応急運転スイッチ７０を備える。これにより、使用者は、応急運転スイッチ７０を使用した際にクリック感発生部で発生するクリック感によって、応急運転スイッチ７０が動作したことを容易に認識することができる。
【００５７】実施の形態４．  本実施の形態４では、使用者がパネル外面突起部５１を押した際に、パネル内面突出部５２、パネル側接点５３および基板側接点５５を介して無理な外力が制御基板３０に加わることを避けられる応急運転スイッチについて説明する。
【００５８】  図１０は、本発明の実施の形態４にかかる空気調和機における応急運転スイッチ８０の未使用時における応急運転スイッチ８０の断面図であり、前面パネル１１１ａに垂直な面に沿った断面図である。本実施の形態４にかかる空気調和機は、実施の形態１にかかる空気調和機１０の変形例であり、応急運転スイッチ５０の代わりに応急運転スイッチ８０を備える点が実施の形態１にかかる空気調和機１０と異なる。
【００５９】  本実施の形態４にかかる応急運転スイッチ８０は、パネル内面突出部５２が、パネル外面突起部５１から制御基板３０に加わる外力を吸収してパネル外面突起部５１から制御基板３０に加わる余分な外力を緩和可能な外力緩和体である弾性体によって構成されている。図１０においては、弾性体としてばね８１を使用した例を示している。ばね８１は、図１０における矢印Ｃの方向に伸縮可能である。ばね８１の周囲は絶縁性のカバー８２によって覆われている。パネル内面突出部５２を外力緩和体により構成することで、無理な外力が制御基板３０に加わることを避けられるため、応急運転スイッチ８０および制御基板３０の破損を防止できる。
【００６０】  上述したように、本実施の形態４にかかる空気調和機は、パネル内面突出部５２に外力緩和体を用いることで、無理な外力が制御基板３０に加わることを避けられ、応急運転スイッチ８０および制御基板３０の破損を防止することができる。
【００６１】  以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００６２】  １０  空気調和機、１１  室内機、１２  室外機、１３  冷媒管、１４  リモートコントローラ、２１  室内機熱交換器、２２  室内機ファン、３０  制御基板、３０ａ  一面、３０ｂ  他面、３０ｃ  ホール、３１  制御部、３２  電源回路、３３  記憶部、３４  室内機通信部、３５  ランド、３６  ソルダーレジスト、４０  外部電源、５０  応急運転スイッチ、５１  パネル外面突起部、５２  パネル内面突出部、５３  パネル側接点、５４  パネル部、５５  基板側接点、５６  第１接点部、５７  第２接点部、６０  応急運転スイッチ、６１  ジャンパー線、６２  ジャンパー線、７０  応急運転スイッチ、７１  板ばね、８０  応急運転スイッチ、８１  ばね、８２  カバー、１１１  筐体、１１１ａ  前面パネル。
【図１】
2019058556.tif 000003
【図２】
2019058556.tif 000004
【図３】
2019058556.tif 000005
【図４】
2019058556.tif 000006
【図５】
2019058556.tif 000007
【図６】
2019058556.tif 000008
【図７】
2019058556.tif 000009
【図８】
2019058556.tif 000010
【図９】
2019058556.tif 000011
【図１０】
2019058556.tif 000012
【国際調査報告】
2019058556.tif 000013
2019058556.tif 000014
2019058556.tif 000015
2019058556.tif 000016